(57)【要約】【課題】ユーザがどの場所のディスプレイの位置に座ったとしても、ユーザが 再生を中断する前の状態から再生することができるリアエンタテイメント装置を提供することを目的とする。【解決手段】車両に設けられ動画・音楽再生が可能なリアエンタテイメント装置であって、ユーザを撮影する撮影手段と、前記撮影手段で撮影された画像から特徴情報を抽出する特徴情報抽出手段と、予めユーザ毎に特徴情報が格納されると共に前記ユーザ毎に履歴情報が格納された記憶手段と、前記特徴情報抽出手段で抽出した特徴情報と前記記憶部に保存された特徴情報を比較してユーザを特定するユーザ特定手段と、前記ユーザ特定手段で特定されたユーザの履歴情報を前記記憶部から読み出して前記履歴情報に基づいて動作を制御するシステム制御手段を備えることを特徴とする。【選択図】図１
2012209628.tif 000002
【特許請求の範囲】
【請求項１】
車両に設けられ動画・音楽再生が可能なリアエンタテイメント装置であって、
ユーザを撮影する撮影手段と、
前記撮影手段で撮影された画像から特徴情報を抽出する特徴情報抽出手段と、
予めユーザ毎に特徴情報が格納されると共に前記ユーザ毎に履歴情報が格納された記憶手段と、
前記特徴情報抽出手段で抽出した特徴情報と記憶部に保存された特徴情報を比較してユーザを特定するユーザ特定手段と、
前記ユーザ特定手段で特定されたユーザの履歴情報を前記記憶部から読み出して前記履歴情報に基づいて動作を制御するシステム制御手段を備えることを特徴とするリアエンタテイメント装置。
【請求項２】
前記記憶手段は、前記リアエンタテイメント装置に接続可能は携帯端末のＭＡＣアドレスが記憶されており、前記システム制御手段は、前記リアエンタテイメント装置に接続される携帯端末が前記記憶手段に記憶されたＭＡＣアドレスと一致した時に前記携帯端末を制御することを特徴とするリアエンタテイメント装置。
【請求項３】
前記記憶手段は、履歴情報としてユーザ毎のレジューム情報が記憶されていることを特徴とする請求項１又は請求項２に記載のリアエンタテイメント装置。
【発明の詳細な説明】
【技術分野】
【０００１】
本発明は、どの場所のディスプレイでもユーザに対応した再生位置（レジューム情報）から出力を開始することができるリアエンタテイメント装置に関するものである。
【背景技術】
【０００２】
従来のリアエンタテイメントシステムでも各ディスプレイ単位でレジューム情報の管理は行っていた。例えばリアに２台以上のディスプレイ（リアディスプレイ１、リアディスプレイ２、・・・）が接続されている構成において、何らかの理由において再生を中断する場合、従来システムでは、各ディスプレイで再生されていたコンテンツをレジューム情報として管理、「誰がリアディスプレイ１、リアディスプレイ２、・・・を利用していたか」を考慮に入れたレジューム情報管理は行われていなかった。本方式では、リアディスプレイ１、リアディスプレイ２、・・・を利用するユーザが変わった場合でも、一律 再生を中断する前の状態から再生が開始されてしまう。
【先行技術文献】
【特許文献】
【０００３】
【特許文献１】特開２００８−０１７２２７号公報
【発明の概要】
【発明が解決しようとする課題】
【０００４】
従来のリアエンタテイメントシステムでも各ディスプレイ単位でレジューム情報の管理は行っていた。例えばリアに２台以上のディスプレイが接続されている構成において、何らかの理由において再生を中断する場合、従来システムでは、各ディスプレイで再生されていたコンテンツをレジューム情報として管理していただけであった。
【０００５】
そこで本発明は、ユーザがどの場所のディスプレイの位置に座ったとしても、ユーザが
再生を中断する前の状態から再生することができるリアエンタテイメント装置を提供することを目的とする。
【課題を解決するための手段】
【０００６】
本発明のリアエンタテイメント装置は、車両に設けられ動画・音楽再生が可能なリアエンタテイメント装置であって、ユーザを撮影する撮影手段と、前記撮影手段で撮影された画像から特徴情報を抽出する特徴情報抽出手段と、予めユーザ毎に特徴情報が格納されると共に前記ユーザ毎に履歴情報が格納された記憶手段と、前記特徴抽出手段で抽出した特徴情報と前記記憶部に保存された特徴情報を比較してユーザを特定するユーザ特定手段と、前記ユーザ特定手段で特定されたユーザの履歴情報を前記記憶部から読み出して前記履歴情報に基づいて動作を制御するシステム制御手段を備えることを特徴とする。
【０００７】
また本発明のリアエンタテイメント装置の前記記憶手段は、前記リアエンタテイメント装置に接続可能は携帯端末のＭＡＣアドレスが記憶されており、前記システム制御手段は、前記リアエンタテイメント装置に接続される携帯端末が前記記憶手段に記憶されたＭＡＣアドレスと一致した時に前記携帯端末装置を制御することを特徴とする。
また本発明のリアエンタテイメント装置の前記記憶手段は、履歴情報としてユーザ毎のレジューム情報が記憶されていることを特徴とする。
【発明の効果】
【０００８】
本発明のリアエンタテイメント装置は、ユーザを撮影手段で撮影してユーザの特徴情報
を特徴情報抽出手段で抽出してユーザを特定し、特定されたユーザに応じたレジューム情報を読出して再生を再開するように構成しているので、ディスプレイ単位のレジューム再生ではなく、ユーザ単位でのレジューム再生を行うことができる。
【図面の簡単な説明】
【０００９】
【図１】本発明の一実施の形態におけるリアエンタテイメント装置のブロック図
【図２】本発明の一実施の形態におけるデータ構造を示す模式図
【図３】ユーザ認識処理を説明するためのフロー図
【図４】顔認識処理を説明するためのフロー図
【図５】再生コンテンツ特定を説明するためのフロー図
【図６】本発明の一実施の形態におけるレジュームのデータ構造を示す模式図
【図７】本発明の一実施の形態におけるリアエンタテイメント装置のソース選択画面を示す模式図
【図８】本発明の一実施の形態におけるリアエンタテイメント装置の競合解消画面を示す模式図
【発明を実施するための形態】
【００１０】
以下、本発明の一実施の形態におけるリアエンタテイメント装置について図面を参照しながら説明する。図１は本発明の一実施の形態におけるリアエンタテイメント装置のブロック図である。図２は、記憶部に記憶される本発明の一実施の形態におけるデータ構造を示す模式図である。
【００１１】
図１に示すようにリアエンタテイメント装置１は、カメラ２と、後席ディスプレイ３と、カメラ４と、後席ディスプレイ５と、後席ディスプレイ６と、カメラ７と、後席ディスプレイ８と、カメラ９と、システム制御部１０と、記憶部１１と、オーディオ部１２と、前席ディスプレイ１３と、カメラ１４と、通信モジュール１５とを備えて構成されている。
なお、リアエンタテイメント装置１の通信モジュール１５は、携帯端末１６と無線又は有線接続が可能に構成されている。
【００１２】
ここで、カメラ２、カメラ４、カメラ７、カメラ９、カメラ１４は、リアエンタテイメント装置１のユーザを撮影することができるように構成されている。また、カメラ２、カメラ４、カメラ７、カメラ９、カメラ１４は、ユーザの近傍、例えば、後席ディスプレイ３、後席ディスプレイ５、後席ディスプレイ６、後席ディスプレイ８、前席ディスプレイ１３の上部に設けられて構成されている。
【００１３】
後席ディスプレイ３、後席ディスプレイ５、後席ディスプレイ６、後席ディスプレイ８は、画像を表示する機能を有して構成されている。例えば、画像の表示としては、再生している音楽に関連する情報表示、ＤＶＤの再生映像、携帯端末から出力された映像などを表示することができるように構成されている。
【００１４】
システム制御部１０は、カメラ２、カメラ４、カメラ７、カメラ９、カメラ１４で撮影された映像を元に、記憶部１１に記憶されている過去に「顔認識処理」で抽出した特徴情報の比較を行いユーザを特定し、特定したユーザ単位でのレジューム再生を実現することができるように構成されている。
【００１５】
記憶部１１は、ユーザ単位の顔画像特徴量を記録した顔画像特量テーブルと、ユーザとユーザが利用しているディスプレイを紐付ける位置特定テーブルと、ディスプレイユーザ単位のレジューム情報を記録したレジューム情報テーブルと、ユーザが車内に持ち込んだ携帯端末の認証履歴を記録した認証履歴テーブルとが記憶されている（図２参照）。なお
、記憶部１１は、例えば、ハードディスク、フラッシュメモリなどの不揮発性の記憶素子で構成されており、これら記憶された情報は、システム制御部１０により読み出し可能に構成されている。
【００１６】
オーディオ部１２は、システム制御部１０の指示に基づき楽曲および映像を提供することができるように構成されており、例えば、不揮発性の記憶素子で構成されたＨＤＤ１２ｄに格納された多数の楽曲や映像等などのコンテンツを再生するデッキ１２ｃと、Ｒａｄｉｏ１２ｂと、ユーザが持ち込んだ外部音源や携帯オーディオ等を入力するＡＵＸ１２ａを備えて構成されている。なお、ＨＤＤ１２ｄとして説明したが本発明を限定するものではなく、例えば、ＤＶＤ−Ａｕｄｉｏ、ＤＶＤ−Ｖｉｄｅｏ、Ｂｌｕ−Ｒａｙ等を同様に用いることができる。
【００１７】
前席ディスプレイ１３は、画像を表示する機能を有して構成されている。例えば、画像の表示としては、再生している音楽に関連する情報表示、ＤＶＤの再生映像、携帯端末から出力された映像などを表示することができるように構成されている。
【００１８】
通信モジュール１５は、携帯端末１６に格納された音声、映像を再生するために携帯端末１６と無線又は有線で接続して連携することができるように構成され、携帯端末１６から取得した本ＭＡＣアドレスをシステム制御部１０に通知してＭＡＣアドレスを利用して携帯端末１６を一意に識別、次回以降の認証を簡略化することができるように構成されている。例えば、通信モジュール１５は、携帯端末１６とやりとりを行うため無線ＬＡＮ機能を有し、ＤＬＮＡクライアントとして振舞うことができるように構成されている。なお、通信モジュール１５と携帯端末１６は、音声、映像データのやり取りに先立ち、認証（ペアリング）を行うように構成されており、認証（ペアリング）には、ＳＳＩＤとＷＥＰキーが必要になるが、併せて携帯端末１６のＭＡＣアドレスも携帯端末１６から通信モジュール１５に通知するものとする。
携帯端末１６は、通信モジュール１５とやり取りを行うための無線ＬＡＮ機能を有し、ＤＬＮＡサーバーとして振舞うことができるように構成されている。
【００１９】
次に、以上のように構成されたリアエンタテイメント装置１の処理動作について図面を用いて説明する。図３は、本発明の一実施の形態におけるリアエンタテイメント装置のユーザ認識処理を示すフロー図である。図４は本発明の一実施の形態におけるリアエンタテイメント装置の顔認識処理を示すフロー図である。図５は、本発明の一実施の形態におけるリアエンタテイメント装置の再生コンテンツを特定する処理を示すフロー図である。また図６は、本発明の一実施の形態におけるレジュームのデータ構造を示す模式図である。図７は、本発明の一実施の形態におけるリアエンタテイメント装置のソース選択画面を示す模式図である。図８は、本発明の一実施の形態におけるリアエンタテイメント装置の競合解消画面を示す模式図である。
まず、本発明の一実施の形態におけるユーザ認識処理について図面を用いて説明する。
【００２０】
図３に示すようにシステム制御部１０は、カメラ２、カメラ４、カメラ７、カメラ９、カメラ１４が撮影した顔画像を取り込み(Ｓ１０１)、Ｓ１０１で取り込んだ顔画像から顔認識処理を行う（Ｓ１０２）。次にシステム制御部１０は、記憶部１１からユーザを識別するための特徴情報を読出し、顔認識処理（Ｓ２０１〜Ｓ２０３）で過去に抽出した特徴情報と今回抽出した情報の比較を行う（Ｓ１０３）。過去に抽出した特徴情報と今回抽出した情報が一致した場合（Ｓ１０４、ＹＥＳ）、特定結果として「ユーザ識別子」をシステム制御部１０のＲＡＭ上に出力する（Ｓ１０５）。一致しなかった場合（Ｓ１０４、ＮＯ）は、今回抽出した特徴情報に対して顔情報登録処理を行い、これまでに付与したユーザ識別子と重複しない「ユーザ識別子」を付与する（Ｓ１０６）。
【００２１】
次に顔認識処理について図面を用いて説明する。図４に示すように、システム制御部１０は、取り込んだ画像から顔の検出を行う（Ｓ２０１）。Ｓ２０１で検出した顔画像から注視点（目、鼻、口、顎、額など）検出を行い（Ｓ２０２）、取り込んだ画像の顔の特徴量を取得する（Ｓ２０３）。
【００２２】
このように本発明のリアエンタテイメント装置１におけるユーザ認識処理及び顔認識処理によれば、撮影した顔画像から注視点（目、鼻、口、顎、額など）を検出、注視点に対する特徴情報を取得、過去に抽出した特徴情報と今回抽出した情報を比較することでユーザ認識処理及び顔認識処理することができる。
【００２３】
次に、本発明のリアエンタテイメント装置１における再生コンテンツ特定する処理について図面を用いて説明する。
【００２４】
図５に示すように、本発明のリアエンタテイメント装置１のシステム制御部１０は、記憶部１１から、レジューム情報を読み出す（Ｓ３０１）。ユーザ認識処理で特定された個人について、ユーザ識別子を主キーとして、位置特定テーブル、レジューム情報テーブル１（図２参照）、レジューム情報テーブル２（図２参照）からレジューム候補リストを作成する（Ｓ３０２）。次に、システム制御部１０は、オーディオ部１２と携帯端末１６が接続されているか確認を行う（Ｓ３０３）。オーディオ部１２と携帯端末１６の接続が確認できた場合（Ｓ３０３、ＹＥＳ）、ユニット接続認証を行う(Ｓ３０５)。また、オーディオ部１２と携帯端末１６の接続が確認できなかった場合（Ｓ３０３、ＮＯ）、レジューム再生ができないため、ユーザにソース選択するための項目や手段を表示する。具体的には、接続確認ができなかったオーディオ部１２と携帯端末１６を利用したレジューム再生を希望するユーザのディスプレイにソース選択画面（図７）を表示、ユーザに異なるソースを選択させる（Ｓ３０４）。
【００２５】
Ｓ３０３においてユニット接続確認に成功（Ｓ３０３、ＹＥＳ）した場合、利用するにあたり認証（ペアリング）が必要なオーディオ部１２と携帯端末１６は、過去認証（ペアリング）成功の履歴が存在するか、認証（ペアリング）履歴（図５）を確認する（Ｓ３０５）。認証（ペアリング）履歴が存在する場合（Ｓ３０５、ＹＥＳ）、レジューム候補リスト（図７）の「オーディオ識別子」の競合有無を確認する処理に進む（Ｓ３０７）。Ｓ３０５で認証（ペアリング）履歴が存在しない場合（Ｓ３０５、ＮＯ）、認証（ペアリング）作業を実施する（Ｓ３０６）。なお 次回利用時に認証（ペアリング）が必要となるオーディオ部１２と携帯端末１６の認証（ペアリング）を省くためオーディオ部１２を一意に特定する手段としては、ＭＡＣアドレスを利用する。
【００２６】
また、Ｓ３０７でシステム制御部１０は、レジューム候補リストについてオーディオ識別子の競合が存在しない場合（Ｓ３０７、ＮＯ）、レジュームリスト（図７）を確定する（Ｓ３０９）。レジューム候補リスト（図７）についてオーディオ識別子の競合が存在する場合（Ｓ３０７、ＹＥＳ）、競合を解消するため競合解消画面（図８）を表示して、競合しているユーザに再生開始位置を選択させる（Ｓ３０８）。
【００２７】
以上のように本発明の一実施形態におけるリアエンタテイメント装置１は、システム制御部１０が記憶部１１からユーザに応じた再生履歴を読出し、この履歴に基づき、レジューム再生を行うため、ディスプレイ単位のレジューム再生ではなく、ユーザ単位でのレジューム再生ができるという効果を奏する。
【産業上の利用可能性】
【００２８】
どの場所のディスプレイでもユーザに対応した再生位置から出力を開始することができるリアエンタテイメント装置として有用である。
【符号の説明】
【００２９】
１    リアエンタテイメント装置
２    カメラ
３    後席ディスプレイ
４    カメラ
５    後席ディスプレイ
６    後席ディスプレイ
７    カメラ
８    後席ディスプレイ
９    カメラ
１０    システム制御部
１１    記憶部
１２    オーディオ部
１２ａ  ＡＵＸ
１２ｂ  Ｒａｄｉｏ
１２ｃ  デッキ
１２ｄ  ＨＤＤ
１３    前席ディスプレイ
１４    カメラ
１５    通信モジュール
１６    携帯端末
【図１】
2012209628.tif 000003
【図２】
2012209628.tif 000004
【図３】
2012209628.tif 000005
【図４】
2012209628.tif 000006
【図５】
2012209628.tif 000007
【図６】
2012209628.tif 000008
【図７】
2012209628.tif 000009
【図８】
2012209628.tif 000010